(57)【要約】      （修正有）【課題】搬送時などにおいて棒状部材を折りたたんだ際に、棒状部材が陳列用板体に接触して広告表示などを傷つけるおそれを低減することのできる商品吊り下げ具を提供する。【解決手段】棒状部材１０は軸保持用孔内に回動自在に装着されるとともに、棒状部材１０を起立させるように回動した際に基板４０の前面に当接可能な膨出部２２を備え、取付部材５０と基板４０とにより、装着口Ｙを介して陳列用板体Ｘを挟持固定に設けられている。規制突起１６は、棒状部材１０の基端寄りの外周面の上部に備えられ、棒状部材１０の折り畳み時に陳列用板体Ｘと接触不能となるように、棒状部材１０の一定角度以上の折りたたみを規制するように設けられている。【選択図】図５
0003214294.tif 000002
【実用新案登録請求の範囲】
【請求項１】
広告表示を備えた陳列用板体に対して起立またはほぼ平行の状態に折りたたんで固定が可能な棒状部材を有する商品吊り下げ具であって、前記折りたたみ時に、前記棒状部材が前記陳列用板体に接触不能となるように前記棒状部材の一定角度以上の折りたたみを規制する規制部を備えたことを特徴とする商品吊り下げ具。
【請求項２】
陳列用板体の装着口に取り付け可能な取付部材と、該取付部材に着脱自在に固定可能な基板とを備え、該基板の表面には２本の突出部が備えられ、該突出部には、切欠きを有する軸保持用孔が備えられ、前記棒状部材は前記軸保持用孔内に回動自在に装着されるとともに、前記棒状部材を起立させるように回動した際に前記基板の前面に当接可能な膨出部を備え、前記取付部材と前記基板とにより、前記装着口を介して前記陳列用板体を挟持固定に設けられ、前記規制部は、前記棒状部材の基端寄りの外周面の上部または前記基板の前面に備えられたことを特徴とする請求項１に記載の商品吊り下げ具。
【請求項３】
前記規制部が、突起状であることを特徴とする請求項２に記載の商品吊り下げ具。
【請求項４】
前記陳列用板体の装着口を通じて挿入して前記陳列用板体の裏面に係合可能な上部係合部と、前記棒状部材の起立時において前記装着口を通じて挿入して前記陳列用板体の裏面に係合可能な下部係合部とを備えるとともに、前記規制部が、前記棒状部材の基端寄りの外周面上部に備えられたことを特徴とする請求項１に記載の商品吊り下げ具。
【請求項５】
前記規制部が、前記棒状部材の軸心に沿って前記棒状部材の径方向外側に向けて突設された突片状であることを特徴とする請求項４に記載の商品吊り下げ具。
【請求項６】
前記棒状部材の先端寄りに、上向きに突設されて吊り下げる商品の脱落を防止する係止部を備えたことを特徴とする請求項１から請求項５のいずれかに記載の商品吊り下げ具。
【請求項７】
前記棒状部材の外周面に、上向きに突設された滑り止め用突起を備えることを特徴とする請求項１から請求項６のいずれかに記載の商品吊り下げ具。 
【考案の詳細な説明】
【技術分野】
【０００１】
この考案は、商品を吊り下げて陳列するのに使用する商品吊り下げ具に関する。
【背景技術】
【０００２】
従来、商品吊り下げ具として、基板の表面に２本の突出片を突出し、前記突出片の先端に、円弧面を有すると共に挿入間隙部を設けた上向き係止部と、前記挿入間隙部を介して前記上向き係止部に着脱自在に挿入されるとともに、前記棒状部材を起立させた際に前記基板の前面に当接する端面を備えるとともに前記円弧面に当接して回動自在に支持される回動軸を備えた膨出部とを備え、この基板を、陳列用板体の開口の裏面側から取り付けた取付板に取り付けて陳列用板体に固定するものがある（特許文献１参照）。また、取付板の上部の掛け止め部を陳列用板体の上部開口を通じて挿入して陳列用板体の裏面に掛け止め、かつ取付板の裏面の下部の下向きの掛け止め部を陳列用板体の下部開口を通じて挿入して陳列用板体の裏面に掛け止めて装着するものがある（特許文献２参照）。  
【０００３】
これらの商品吊り下げ具は、商品の広告表示などを印刷した陳列用板体に取り付けられて、陳列用板体に印刷された広告表示と共に、棒状部材に商品自体を吊り下げて販売促進するように設けられている。そして、これらの商品吊り下げ具を商品の広告場所に搬送する際には、陳列用板体に対して棒状部材をほぼ平行となるように折りたたんだ状態として、陳列用板体に取り付けた状態とし、広告場所に到着した後には棒状部材を立ち上げ、棒状部材に商品の包装のひもやワイヤーなどをひっかけ商品を吊り下げて使用している。また商品を吊り下げる際に棒状部材からひもやワイヤーが脱落しないようにするために、棒状部材の先端に、上向きに屈曲された脱落防止部が延設されていることが多い。
【先行技術文献】
【特許文献】
【０００４】
【特許文献１】実用新案登録第３０２６４４１号公報
【特許文献２】意匠登録第１３７６４７０号公報
【考案の概要】
【考案が解決しようとする課題】
【０００５】
しかしながら、前述した従来の商品吊り下げ具では、搬送時に、棒状部材の先端の脱落防止部の先端が陳列用板体表面に接触して、陳列用板体を傷つけてしまうおそれがあり、購入者に訴求すべき広告表示が傷つき、広告表示の機能が損なわれてしまうという問題があった。  
【０００６】
本考案は前述した従来の商品吊り下げ具の問題を解決しようとするものであり、搬送時などにおいて棒状部材を折りたたんだ際に、棒状部材が陳列用板体に接触して広告表示などを傷つけるおそれを低減することのできる商品吊り下げ具を提供することを目的とする。
【課題を解決するための手段】
【０００７】
上記目的を達成するものは、以下のものである。（１）広告表示を備えた陳列用板体に対して起立またはほぼ平行の状態に折りたたんで固定が可能な棒状部材を有する商品吊り下げ具であって、前記折りたたみ時に、前記棒状部材が前記陳列用板体に接触不能となるように前記棒状部材の一定角度以上の折りたたみを規制する規制部を備えたことを特徴とする商品吊り下げ具。  
【０００８】
このような規制部を備えることによって、折りたたみ時に棒状部材が陳列用板体に接触することを不能とすることができるので、陳列用板体に傷が生ずるおそれを低減することができる。  
【０００９】
また、（２）陳列用板体の装着口に取り付け可能な取付部材と、該取付部材に着脱自在に固定可能な基板とを備え、該基板の表面には２本の突出部が備えられ、該突出部には、切欠きを有する軸保持用孔が備えられ、前記棒状部材は前記軸保持用孔内に回動自在に装着されるとともに、前記棒状部材を起立させるように回動した際に前記基板の前面に当接可能な膨出部を備え、前記取付部材と前記基板とにより、前記装着口を介して前記陳列用板体を挟持固定に設けられ、前記規制部は、前記棒状部材の基端寄りの外周面の上部または前記基板の前面に備えられたことを特徴とする（１）に記載の商品吊り下げ具。  
【００１０】
また（３）前記規制部が、突起状であることを特徴とする（２）に記載の商品吊り下げ具。  
【００１１】
また、（４）前記陳列用板体の装着口を通じて挿入して前記陳列用板体の裏面に係合可能な上部係合部と、前記棒状部材の起立時において前記装着口を通じて挿入して前記陳列用板体の裏面に係合可能な下部係合部とを備えるとともに、前記規制部が、前記棒状部材の基端寄りの外周面上部に備えられたことを特徴とする（１）に記載の商品吊り下げ具。  
【００１２】
また、（５）前記規制部が、前記棒状部材の軸心に沿って前記棒状部材の径方向外側に向けて突設された突片状であることを特徴とする（４）に記載の商品吊り下げ具。  
【００１３】
また、（６）前記棒状部材の先端寄りに、上向きに突設されて吊り下げる商品の脱落を防止する係止部を備えたことを特徴とする（１）から（５）のいずれかに記載の商品吊り下げ具。  
【００１４】
また、（７）前記棒状部材の外周面に、上向きに突設された滑り止め用突起を備えることを特徴とする（１）から（６）のいずれかに記載の商品吊り下げ具。
【考案の効果】
【００１５】
本考案の商品吊り下げ具は、前述したように構成されているので、陳列用板体に対して折りたたんだ状態において、棒状部材が、広告表示が印刷されるなどとされた陳列用板体の表面を傷つけるおそれを低減させることができ、陳列用板体の広告表示などを的確に保護することができる。
【図面の簡単な説明】
【００１６】
【図１】陳列用板体に対して起立させた状態で取り付けられた商品吊り下げ具の斜視図である。
【図２】商品吊り下げ具の棒状部材の斜視図である。
【図３】商品吊り下げ具の基板の斜視図である。
【図４】商品吊り下げ具の基板および取付部材の分解斜視図である。
【図５】陳列用板体に対して折りたたんだ状態で取り付けられた商品吊り下げ具の側面図である。
【図６】陳列用板体に対して起立させた状態で取り付けられた商品吊り下げ具の側面図である。
【図７】陳列用板体に対して折りたたんだ状態で取り付けられた別の実施の形態の商品吊り下げ具の側面図である。
【図８】陳列用板体に対して起立させた状態で取り付けられた図７の商品吊り下げ具の側面図である。
【図９】図８の状態の商品吊り下げ具の斜視図である。
【考案を実施するための形態】
【００１７】
本考案の商品吊り下げ具について、図面に示した実施例を用いて説明する。本考案に係る実施例の一つの商品吊り下げ具１は、図１および図６に示すように、陳列用板体Ｘの装着口Ｙに取り付けられるとともに、棒状部材１０に、商品の包装袋などに備えられている吊り下げ孔や吊り紐など（図示省略）を挿通させて商品を吊り下げるために用いられるものである。陳列用板体Ｘの表面には、商品に関する説明や絵柄などの広告表示が印刷されており、吊り下げられる商品自体と併せて、商品のＰＲなどに用いられる。この商品吊り下げ具１は、前述した棒状部材１０と、基板４０と、取付部材５０とから構成されている。棒状部材１０、基板４０および取付部材５０の材質は、合成樹脂製、木製、金属製等とすることができる。  
【００１８】
図１および図２に示すように、棒状部材１０は、本体部１４と、本体部１４の先端側において上方に屈曲されて延設された係止部１２と、本体部１４の基端側に備えられた基部２０とから構成されている。このように棒状部材１０は、全体が概ね「Ｌ字」状に形成されている。棒状部材１０の先端には、前述のように、吊り下げられた商品が外れないように上方に屈曲された係止部１２が設けられている。係止部１２の長さは適宜変更することが可能であるが、後述するように、本考案では規制突起１６により、この係止部１２の先端が陳列用板体Ｘの表面に接触しないように構成されている。よって、係止部１２の長さは、棒状部材１０を折りたたんだ際に規制突起１６によってその先端が陳列用板体Ｘの表面に接触しない範囲の長さに制限される。  
【００１９】
本体部１４には、棒状部材１０を起立させた状態（陳列用板体Ｘに対して立ち上げた状態）において、その上面となる部位に滑り止め用突起１５が備えられている。滑り止め用突起１５は、概ね半球状に形成されている。また、滑り止め用突起１５は所定の間隔をおいて、本体部１４の先端側から基端側にかけて２か所備えられている。さらに、本体部１４の上面の部位の基端寄りには、後述する規制突起１６が備えられている。この規制突起１６が、棒状部材１０の折りたたみを規制する本考案に言う「規制部」の一例である。規制突起１６は、概ね半球状に形成されている。  
【００２０】
図１および図５に示すように、規制突起１６が形成された部位よりもさらに基端側の本体部１４の上面は、基端に向けて徐々に低くなる傾斜面１７が備えられている。傾斜面１７は、図５に示すように、棒状部材１０を上方に向けて折りたたんだ際に、規制突起１６が基板４０の前面に当接された位置において、基板３０の前面と平行となるような角度の傾斜面とされており、棒状部材１０を上方に向けて折りたたんだ際に、棒状部材１０の基端が基板４０に不必要に接触しないように構成されている。  
【００２１】
棒状部材１０の基端側には、前述した基部２０が備えられている。図１、図２および図５に示すように、基部２０は膨出部２２と、軸部２６と、抜け止め部３０とを備えている。膨出部２２は、棒状部材１０の本体部１４の基端に連設されており、本体部１４の基端から本体部１４の軸心に直交するようにして下方に向けて膨出されている。また、図２に示すように、膨出部２２の上部寄り両側面からは、軸部２６が左右に向けてそれぞれ突設されている。軸部２６は、後述する基板４０の突出部４２の軸保持用孔４４内に回動自在に挿嵌可能な太さ・形状に形成されている。一方、軸部２６は、突出部４２の上方に形成された切欠き４３よりも僅かに大きな外径に形成されており、軸保持用孔４４内に圧入するようにして嵌めこむようにすることにより、いったん嵌めこんだ後には軸保持用孔４４から容易には外れないように設けられている。また、軸部２６の先端には、それぞれ抜け止め部３０が形成されている。抜け止め部３０は、軸部２６の外形よりも大きな板状に形成されている。また、抜け止め部３０の形状は前方側に円弧を備えた板状とされている。なお、このような棒状部材１０は、本体部１４の長さが異なるものを用意して、吊り下げる商品の数や種類に合せて長さを選択した棒状部材１０を基板４０に取り付けることができる。  
【００２２】
基板４０は、図１、図５および図６に示すように、前述した棒状部材１０をその前面において回動自在に保持するとともに、陳列用板体Ｘの裏側から取り付けられる取付部材５０と協働して商品吊り下げ具１全体を陳列用板体Ｘに固定する部材である。図３に示すように、基板４０は、突出部４２と、本体部４６と、本体部４６裏側
の差込片４８を備えている。本体部４６は、厚みの薄い矩形状の板状に形成されている。この本体部４６の前面に、２つの突出部４２が備えられている。突出部４２は側面視において、上側に切欠き４３を備えた「Ｃ字」状に形成されており、その正面側を円弧状に形成し、その内側には棒状部材１０の軸部２６を回動自在に支持する軸保持用孔４４を備えている。そしてこれらの２つの突出部４２が、その両端の距離が棒状部材１０の両抜け止め部３０間の距離よりも僅かに小さくなるようにして平行に配設されている。  
【００２３】
また、本体部４２の裏面側の上端には、本体部４２の下方に向けて板状の差込片４８が突設されている。この差込片４８の幅・厚みは、図４に示すように、後述する取付部材５０の嵌合片５２間の嵌合収容部５４内に摺動自在に嵌合可能なものとされており、嵌合収容部５４に、その上方から嵌めこむことができるように構成されている。  
【００２４】
図４に示すように、取付部材５０は、縦長の長方形板状の本体板部５６と、この本体板部５６の前面側に設けられる２つの嵌合片５２とを備えている。嵌合片５２は、平面視において「Ｌ字」状に屈曲されて本体板部５６から突設されるとともに本体板部５６の上下方向に沿ってやや長めに、取付部材５０の正面視において長方形状に設けられている。また、２つの嵌合片５２は本体板部５６の正面視においてその左右両端辺からそれぞれ突設されている。また、２つの嵌合片５２の間には隙間５３が設けられている。そして、これらの２つの嵌合片５２と本体板部５６の前面とで囲まれた部位に、前述したように基板４０の差込片４８を挿嵌可能な嵌合収容部５４を設けている。  
【００２５】
２つの嵌合片５２の正面視における外形形状は陳列用板体Ｘの装着口Ｙとほぼ同じ形状とされており、２つの嵌合片５２が装着口Ｙ内に嵌めこむことができるように構成されている。前述したように、基板４０の差込片４８は、この嵌合収容部５４に圧入されて上下方向に摺動自在に嵌合可能な幅・厚みに形成されている。間に隙間５３を備える２つの嵌合片５２によって嵌合収容部５４を構成することにより、２つの嵌合片５２が僅かに拡開するように差込片４８を圧入することで、差込片４８を嵌合収容部５４内に確実に収容保持することができる。このようにして、嵌合収容部５４内に差込片４８を確実にかつ着脱自在に嵌めこむことができる。  
【００２６】
このように構成された商品吊り下げ具１は以下のように使用される。まず、陳列用板体Ｘに、この商品吊り下げ具１を以下のように取り付ける。陳列用板体Ｘは商品を陳列する厚紙、板紙、段ボール等の板体であり、１または複数の装着口Ｙが一定或いは任意の間隔をおいて設けられている。装着口Ｙは、略矩形状で、前述したこの考案の商品吊り下げ具１の取付部材５０の２つの嵌合片５２の正面視外周部とほぼ同形に設けられている。そして、陳列用板体Ｘの裏面側から、装着口Ｙに取付部材５０の２つの嵌合片５２を差し込む。図４に示すように、陳列用板体Ｘの裏面側から差し込んで陳列用板体Ｘの正面側に露呈された嵌合片５２に囲まれた嵌合収容部５４に、その上方から基板４０の差込片４８を差し込むことにより、基板４０の本体部４６と取付部材５０の本体板部５６とにより陳列用板体Ｘを挟持し、これらの両部材が陳列用板体Ｘに固定されることになる。  
【００２７】
次いで、基板４０の突出部４２の軸保持用孔４４内に、切欠き４３を通して、棒状部材１０の軸部２６を挿嵌する。切欠き４３の間隔は軸部２６よりも僅かに狭く設けられており、軸保持用孔４４内に挿嵌された軸部２６が容易に脱落しないように構成されている。また、軸保持用孔４４の内径は軸部２６の外径とほぼ同一とされており、軸保持用孔４４内において軸部２６をがたつきなく確実に保持するとともに回動自在に保持する。なお、基板４０にあらかじめ棒状部材１０を取り付けた状態で、基板４０を取付部材５０に取り付ける順序とすることもできる。  
【００２８】
前述の通り、軸部２６が設けられる棒状部材１０の基部２０には、下方に膨出した膨出部２２が備えられているので、図１および図６に示すように、棒状部材１０が基板４０、すなわち陳列用板体Ｘに対して起立されて軸部２６が一定の角度まで回動された際に、膨出部２２が基板４０の本体部４６の下方部分に当接し、それ以上の軸部２６の回動を規制する。このようにして棒状部材１０が起立された際に、棒状部材１０の角度を陳列用板体Ｘの表面に対してほぼ直角となるように保持することができる。そして、このように陳列用板体Ｘおよび基板４０に対して棒状部材１０を起立させた状態で、棒状部材１０の本体部１４に、商品の包装袋などに備えられている吊り下げ孔や吊り紐など（図示省略）を挿通させて商品を吊り下げることができる。  
【００２９】
一方、商品の展示に先立って商品の販売場所まで陳列用板体Ｘを搬送する際などには、前述のように商品吊り下げ具１を陳列用板体Ｘに取り付けた状態でコンパクトに収容するために、図５に示すように棒状部材１０を陳列用板体Ｘに対して折りたたんだ状態としておく。この際に、棒状部材１０に設けられた規制突起１６が基板４０の本体部４６の前面に当接し、棒状部材１０のそれ以上の回動を規制する。よって、図５に示すように、棒状部材１０の係止部１２の先端が陳列用板体Ｘの表面に接触することがない。したがって、商品吊り下げ具１を取り付けた状態で搬送などする際に棒状部材１０を折りたたんでも、係止部１２が接触して陳列用板体Ｘ表面を傷つけるおそれがない。よって、陳列用板体Ｘ表面の広告表示が傷つくようなおそれを低減し、または広告表示を保護するためのシートその他の保護部材を省略することができる。また、本例においては、棒状部材１０の回動軸となる軸部２６に近接した位置に規制突起１６を設けているので、棒状部材１０の本体部１４に設ける規制突起１６がわずかな大きさであっても棒状部材１０の回動規制を的確に行うことができる。また、本例では、規制突起１６の形状を滑り止め用突起１５の形状と同様のものとしているので、棒状部材１０の形状を大きく変える必要が無く、変更のためのコストを最小限とすることができる。  
【００３０】
次いで図７から図９を参照して本考案の別の実施の形態の商品吊り下げ具１ａについて説明する。この商品吊り下げ具１ａは、前述の商品吊り下げ具１のように基板４０に対して棒状部材１０が回動可能に取り付けられているのではなく、取付部材６０に対する棒状部材１０ａの角度があらかじめ固定されて取り付けられているものである。この商品吊り下げ具１ａでは、取付部材６０自体を陳列用板体Ｘａに対して回動自在に設けることにより、前述の例と同様に棒状部材６０を陳列用板体Ｘａに対して折りたたむことが可能となるように構成している。図８および図９に示すように、商品吊り下げ具１ａは、取付部材６０の前面に対して棒状部材１０ａの角度がほぼ直角に一体的に連設されており、商品吊り下げ具１ａを陳列用板体Ｘａに起立させた状態で取り付けた際に、棒状部材１０ａが陳列用板体Ｘａの表面に対してほぼ直角に起立するように設けられている。  
【００３１】
また、取付部材６０は正面視において矩形状に形成されており、本体部６２と上部係合部６４と下部係合部６８とから構成されている。本体部６２は、正面視においてほぼ正方形状の板体として形成されている。そして、本体部６２の上端には上部係合部６４が備えられている。上部係合部６４は、本体部６２の上端から後方に向けて屈曲して延設された挿嵌部６５と、挿嵌部６５からさらに上方に向けて屈曲して延設された係合部６６と、係合部６６からさらにまた後方に向けて屈曲して延設されるとともに先端に向けて下り傾斜となる先端部６７とから構成されている。また、図７および図８に示すように、本体部６２の裏面の下方寄りには下部係合部６８が突設されている。下部係合部６８は鉤状に形成されており、本体部６２の裏面から後方に向けて突設された挿嵌部６９と、挿嵌部６９から下方に向けて突設された係合部７０とから構成されている。図７から図９に示すように、上部係合部６４の挿嵌部６５の上面と下部係合部６８の挿嵌部６９の下面との間隔は、ほぼ「Ｙ字」状に形成された装着口Ｙａの装着口上部Ｙｂと装着口下部Ｙｃとの上下方向の間隔とほぼ同じとされている。図８に示すように、上部係合部６４と下部係合部６８とを装着口Ｙａに装着した際には、係合部６６と係合部７０とが装着口上部Ｙｂと装着口Ｙｃとに係合すると同時に、挿嵌部６５と挿嵌部６９とが装着口Ｙａの上下方向において隙間なくはめ込まれるように装着されることにより、商品吊り下げ具１ａを陳列用板体Ｘａに安定的に取り付けることができる。また、係合部６６の幅は装着口上部Ｙｂの幅とほぼ同じに設けられ、係合部７０の幅は装着口下部Ｙｃの幅とほぼ同じに設けられている。よって、装着口Ｙｂに取付部材６０を取り付けた際には、商品吊り下げ具１ａの左右方向におけるがたつきを抑えることもできる。  
【００３２】
また、棒状部材１０ａの基端より上面と本体部６２との間に側面視台形状の規制片８０が備えられている。また、規制片８０の基端側には、後方に向けて下り傾斜する傾斜面８２が備えられている。そして図７に示すように、搬送時などにおいては上部係合部６４のみを装着口上部Ｙｂに挿嵌するとともに商品吊り下げ具１ａ全体を陳列用板体Ｘａの表面に沿うように折りたたんだ状態とすることができる。この時に上部係合部６４のみが装着口上部Ｙｂに係合して商品吊り下げ具１ａの陳列用板体Ｘａからの脱落を防止する。そして、この際において、規制片８０が陳列用板体Ｘａの表面に当接することにより、商品吊り下げ具１ａの一定角度以上の折りたたみを防止することができる。このように、本例では、棒状部材１０ａの係止部１２先端が陳列用板体Ｘａに接触しないように構成されている。また、前述の通り、規制片８０の基端側、すなわち商品吊り下げ具１ａを折りたたむ際に陳列用板体Ｘａに接触する側に、商品吊り下げ具１ａの折りたたみ角度を規制したい状態まで折りたたんだ際に「面接触」する角度に形成した傾斜面８２が備えられている。よって、商品吊り下げ具１ａを折りたたんだ際に、規制片８０が陳列用板体Ｘａに面接触することにより安定的に支持される。また、規制片８０が陳列用板体Ｘａに面接触して当接するので、突起状のとがった規制部が陳列用板体Ｘａに接触して規制をする場合に比べて、規制部によって陳列用板体Ｘａを傷つけるおそれを少なくすることもできる。なお、規制片８０によって陳列用板体Ｘａを傷つけるおそれをより減少させるために、規制片８０にゴム・紙片その他の保護材を張り付けておいたり、規制片８０自体をゴム製などの別体の部品としても良い。  
【００３３】
本考案は前述した商品吊り下げ具１，１ａに限定されるものではなく、本考案の主旨の範囲内で適宜変更が可能である。例えば、前述の商品吊り下げ具１では規制部として「突起」状のものを用いたがその形状は、規制する棒状部材１０の形状・係止部１２の長さなどに応じて適宜変更することができる。例えば係止部１２が長ければ、より角度を規制するために突起を大きくしたり、伸ばしたような形状とすることもできる。商品吊り下げ具１ａについても同様に、規制する棒状部材１０の形状・係止部１２の長さなどの事情により適宜変更することができる。また、他のタイプの商品吊り下げ具、例えば、基板４０を省略するとともに、棒状部材１０を直接取付部材５０に着脱自在に取り付け取付部材５０に対して棒状部材１０を折りたたむことができるタイプの商品吊り下げ具にも適用させることができる。また、吊り下げる商品について特に限定するものではない。棒状部材１０の係止部１２や本体部１４など、基板４０、取付部材５０などの形状を適宜変更した商品吊り下げ具に適用することもできる。
【産業上の利用可能性】
【００３４】
本考案の商品吊り下げ具は、棒状部材を折りたたむことのできる商品吊り下げ具に広く用いることができる。
【符号の説明】
【００３５】
１，１ａ  商品吊り下げ具１０，１０ａ  棒状部材１２  係止部１４  本体部１５  滑り止め用突起１６
規制突起１７  傾斜面２０  基部２２  膨出部２６  軸部３０  抜け止め部４０  基板４２  突出部４３  切欠き４４  軸保持用孔４６  本体部４８  差込片５０  取付部材５２  嵌合片５３  隙間５４  嵌合収容部５６  本体板部６０  取付部材６３  本体部６４  上部係合部６５  挿嵌部６６  係合部６７  先端部６８  下部係合部６９  挿嵌部７０  係合部８０  規制片８２  傾斜面Ｘ，Ｘａ  陳列用板体Ｙ，Ｙａ  装着口Ｙｂ  装着口上部Ｙｃ  装着口下部 
【図１】
0003214294.tif 000003
【図２】
0003214294.tif 000004
【図３】
0003214294.tif 000005
【図４】
0003214294.tif 000006
【図５】
0003214294.tif 000007
【図６】
0003214294.tif 000008
【図７】
0003214294.tif 000009
【図８】
0003214294.tif 000010
【図９】
0003214294.tif 000011